【事件の表示】
　特願２００４−１８６５８３「有機電界発光表示装置とその駆動方法」拒絶査定不服審判事件〔平成１７年２月２４日出願公開、特開２００５−４９８３８〕について、次のとおり審決する。
【結　論】
　本件審判の請求は、成り立たない。
【理　由】
１．手続の経緯
　この審判事件に関する出願（以下、「本願」という。）は、２００３年（平成１５年）７月３０日に大韓民国でされた特許出願に基づくパリ条約の優先権を主張して、平成１６年６月２４日にされた特許出願である。そして、平成２０年８月２９日付けの手続補正により特許請求の範囲についての補正がされ、平成２２年４月２７日付けで拒絶査定がされ、同年５月１１日に査定の謄本が送達された。これに対して、平成２２年９月１０日に拒絶査定不服審判が請求され、同時に明細書及び特許請求の範囲についての補正がされたが、この補正は、平成２４年４月１１日付けの決定をもって当審により却下された。そして、同日付けで当審により拒絶の理由が通知され、同年７月１７日付けで意見書が提出され、同日付けの手続補正により特許請求の範囲についての補正がされた。
　
２．本願に係る発明
　本願の請求項１から９までのそれぞれに係る発明は、平成２４年７月１７日付けの手続補正により補正された特許請求の範囲の請求項１から９までのそれぞれに記載された事項によって特定されるとおりのものである。特に、請求項１に係る発明（以下、「本願発明」という。）は、以下のとおりのものである。
　
「【請求項１】
　画像信号を示すデータ信号を伝達する第１及び第２データ線、選択信号を伝達する第１走査線、前記第１データ線と前記第１走査線とに電気的に連結される第１画素回路、そして前記第２データ線と前記第１走査線とに電気的に連結される第２画素回路を含む表示領域と、
　前記第１及び第２データ線に各々該当するデータ信号を信号線を通じて順次に出力するデータドライバーと、
　前記選択信号を出力する走査ドライバーと、
　前記信号線からのデータ信号を前記第１及び第２データ線に各々伝達する逆多重化部とを含み、
　１フレームは第１及び第２フィールドを含み、
　前記第１フィールドのうちの第１期間内に前記第１データ線からのデータ信号が前記第１画素回路に入力され、前記第２フィールドのうちの第２期間内に前記第２データ線からのデータ信号が前記第２画素回路に入力され、
　前記第１及び第２期間では前記第１走査線に選択信号が印加され、前記データ信号は電流形態で供給される信号であり、前記第１期間内では前記第２画素回路に印加されるデータ信号は遮断されて前記第２画素回路にブランク信号が入力され、前記第２期間内では前記第１画素回路に印加されるデータ信号は遮断されて前記第１画素回路にブランク信号が入力され、
　前記第１フィールドのうちの第３期間内に、前記第１走査線の次に選択信号を受信する第２走査線と前記第１データ線とに電気的に連結される第３画素回路に前記第１データ線からのデータ信号が入力され、前記第２フィールドのうちの第４期間内に、前記第２走査線と前記第２データ線とに電気的に連結される第４画素回路に前記第２データ線からのデータ信号が入力され、
　前記第３期間で前記第３画素回路にデータ信号が入力される間に前記第４画素回路にはブランク信号が入力され、前記第４期間で前記第４画素回路にデータ信号が入力される間に前記第３画素回路にはブランク信号が入力され、
　前記第１乃至第４画素回路は各々前記入力されたデータ信号のサイズに対応して光を発する発光素子を含み、
　前記各画素回路は、同一の前記選択信号によって第１のトランジスタ及び第２のトランジスタがターンオンされることにより駆動トランジスタをダイオード連結させ、前記データ線に流れる電流が前記駆動トランジスタに流れて、キャパシタに前記データ信号に対応する電圧が保存され、
  前記第１フィールドの間に前記発光信号が入力されると、前記第１及び第３画素回路の前記発光素子が発光し、前記第２フィールドの間に前記発光信号が入力されると、前記第２及び第４画素回路の前記発光素子が発光して画像が表示され、
　前記第１乃至第４画素回路に入力する発光信号のタイミングを調整することにより、
　これらの画素回路の発光素子が発光する期間を減らすことを特徴とする有機電界発光表示装置。」
　
３．当審が通知した拒絶の理由
　当審が平成２４年４月１１日付けで通知した拒絶の理由は、概略以下のとおりである。
　
　本願の請求項１から４まで、８及び９のそれぞれに係る発明は、いずれも、その優先日前に日本国内又は外国において頒布された刊行物１及び２のそれぞれに記載された発明に基づき、当業者が容易に発明をすることができたものであるから、特許法第２９条第２項の規定により特許を受けことができない。
　
　　刊行物１：特開２００３−１２２３０１号公報
　　刊行物２：特開２００３−５１５２号公報
　
４．刊行物に記載された事項、引用発明
（１）刊行物１
　刊行物１には、以下の記載がある。
　
ア．段落００２１
「また本実施例においては「書込み期間」と「点灯期間」の時間比率を約５０％づつとしたが、この比率もそれぞれの条件に応じて変更が可能である。例えば「点灯期間」を短くすれば動画の動きはより良好になるが、その分画面は暗くなり易い。これらの点を考慮して、例えば「点灯期間」は７０％、３０％、１０％等に適宜設定すれば良い。以上の種々の変更等は、本実施例に限らず以下のその他の実施例においても、基本的に同様に適用可能である。」
　
イ．段落００３７
「図１５は本実施例であるＯＬＥＤ…（略）…表示パネルの構成図である。画素発光体としてのＯＬＥＤ素子７を有する画素１１０が表示部にマトリクス状に配置され、画素１１０はリセット線１１８、信号線１１７、点灯スイッチ線１１９、入力スイッチ線１２３等を介して表示部周辺に設けられた駆動回路に接続されている。リセット線１１８及び入力スイッチ線１２３はゲート駆動回路１２２の走査出力に、信号線１１７は電流出力ＤＡ変換回路１２１に接続されており、電流出力ＤＡ変換回路１２１にはデジタル信号を入力するデジタル信号入力線２９が接続されている。この電流出力ＤＡ変換回路１２１は、出力が階調電流であること以外は、一般の電圧出力ＤＡ変換回路と同様な構成である。また点灯スイッチ線１１９は全画素で共通に接続されている。…（略）…また各画素１１０においては、信号線１１７は入力スイッチ線１２３で制御される入力ＴＦＴスイッチ１１１を介してｐチャネルＭＯＳトランジスタであるＯＬＥＤ駆動ＴＦＴ１１４のドレインに入力されており、ＯＬＥＤ駆動ＴＦＴ１１４のソースは電源線１８に接続されている。またＯＬＥＤ駆動ＴＦＴ１１４のドレインは点灯スイッチ線１１９で制御される点灯ＴＦＴスイッチ１１６を介してＯＬＥＤ素子７の一端に接続されている。なおＯＬＥＤ素子７の他端は共通接地されている。更にＯＬＥＤ駆動ＴＦＴ１１４のゲートとドレインの間には、リセット線１１８で制御されるリセットＴＦＴスイッチ１１５が設けられ、ＯＬＥＤ駆動ＴＦＴ１１４のゲートとソースの間には保持容量１１３が設けられている。」
　
ウ．段落００３９
「図１６は各画素におけるリセットＴＦＴスイッチ１１５、点灯ＴＦＴスイッチ１１６、入力ＴＦＴスイッチ１１１の駆動及び信号線１１７上におけるデータ入力の様子を、「１．書込み期間」及び「２．点灯期間」に分けて示したものである。」
　
エ．段落００４０
「１フレームの前半の「書込み期間」においては、ゲート駆動回路１２２が各画素行を順次走査し、これと同期して電流出力ＤＡ変換回路１２１よりアナログ信号電流が信号データとして信号線１１７に書込まれる。具体的にはゲート駆動回路１２２によって選択されたｎ行目の画素において、入力ＴＦＴスイッチ１１１及びリセットＴＦＴスイッチ１１５がオンする。これらのスイッチがオンすることによってＯＬＥＤ駆動ＴＦＴ１１４はゲートとドレインが同電位のダイオード接続となるり、信号線１１７からＯＬＥＤ駆動ＴＦＴ１１４を経由して電源線１８へと上記のアナログ信号電流が流れる。…（略）…次にリセットＴＦＴスイッチ１１５がオフする際にこのアナログ信号電流に対応するゲート電圧が保持容量１１３に記憶される。この後信号線１１７上のアナログ信号電流及び入力ＴＦＴスイッチ１１１がオフすることでｎ行目の画素行への信号書き込みが完了する。なお本実施例においては上記「書込み期間」の間常に点灯ＴＦＴスイッチ１１６はオフであるため、保持容量１１３すなわちＯＬＥＤ駆動ＴＦＴ１１４のゲートに書き込まれた電圧のレベルに如何にかかわらず、ＯＬＥＤ素子７が点灯することはない。アナログ信号電圧の画素への書込みはこのように行毎に順次行われ、全ての画素への書込みが終了した時点で１フレームの前半の「書込み期間」は終了する。」
　
オ．段落００４１
「次いで１フレーム後半の「点灯期間」においては、ゲート駆動回路１２２は停止し、点灯スイッチ線１１９が全画素の点灯ＴＦＴスイッチ１１６を一斉にオンさせる。このとき前述したようにＯＬＥＤ駆動ＴＦＴ１１４のゲートには各画素に入力されたアナログ信号電流に対応するゲート電圧が保持容量１１３によって保持されているため、上記アナログ信号電流と等しい電流が各画素のＯＬＥＤ素子７に流れて階調発光を行う。…（略）…本実施例によれば、１フィールド内における発光手段の点灯時間を「点灯期間」のみに制御することで、隣接する２フィールド間に無発光期間を設けることが可能である。本実施例はこれによりなめらかな動画像表示を可能としている。…（略）…」
　
　上記ア．によると、「書込み期間」と「点灯期間」との時間比率は適宜変更可能である。そして、上記エ．によると、点灯ＴＦＴスイッチ１１６がオフであればＯＬＥＤ素子７が点灯することはなく、上記オ．によると、点灯スイッチ線１１９が全画素の点灯スイッチＴＦＴ１１６を一斉にオンさせると電流がＯＬＥＤ素子７に流れて階調発光を行う。そうすると、「書込み期間」と「点灯期間」との時間比率は、点灯スイッチ線１１９が点灯スイッチＴＦＴ１１６をオンさせるタイミングを調整することによって変更可能であることが理解できる。
　上記ア．からオ．までの記載と、図１５及び１６のそれぞれに示された事項とを総合すると、刊行物１には、以下の発明（以下、「引用発明」という。）が記載されている。
　
「信号データとしてのアナログ信号電流が流れる信号線１１７、選択された行の画素の入力ＴＦＴスイッチ１１１及びリセットＴＦＴスイッチ１１５をそれぞれオンする入力スイッチ線１２３及びリセット線１１８、前記信号線と前記入力スイッチ線及び前記リセット線とに電気的に接続される画素１１０を含む表示領域と、
　前記信号線に前記アナログ信号電流を出力する電流出力ＤＡ変換回路１２１と、
　各画素行を順次選択するゲート駆動回路１２２とを含み、
　１フレーム中の書込み期間においては、前記ゲート駆動回路によって順次選択された行の画素に前記信号線からのアナログ信号電流が書き込まれ、
　前記画素は、前記アナログ信号電流と等しい電流が流れて階調発光を行うＯＬＥＤ素子７を含み、
　前記ゲート駆動回路によって選択された行の画素の前記入力ＴＦＴスイッチ及び前記リセットＴＦＴスイッチがオンすることにより、ＯＬＥＤ駆動ＴＦＴスイッチ１１４がダイオード接続となり、前記信号線から流れる前記アナログ信号電流が前記ＯＬＥＤ駆動ＴＦＴスイッチに流れ、保持容量１１３に前記信号データに対応するゲート電圧が記憶され、
　前記１フレーム中の点灯期間においては、点灯スイッチ線１１９が全画素の点灯ＴＦＴスイッチ１１６を一斉にオンすると、書き込まれた前記アナログ信号電流に応じた階調発光を行い、
　前記点灯スイッチ線が前記点灯ＴＦＴスイッチをオンするタイミングを調整することにより、
　前記点灯期間が変更可能なＯＬＥＤ表示パネル。」
　
（２）刊行物２
　刊行物２には、以下の記載がある。
　
ア．段落００１４
「図１において、この液晶表示装置は、制御回路１、液晶パネル２、行ドライバ回路６および列ドライバ回路９を備える。制御回路１は、外部から与えられる画像信号に従って画像データ信号、クロック信号、種々の内部制御信号を生成し、液晶表示装置全体を制御する。」
　
イ．段落００１５
「液晶パネルには、図中横方向に延在する複数の走査線３と、図中縦方向に延在する複数の信号線４とを含む。…（略）…走査線３と信号線の各交差部には、図２に示すように画素１５が配置されている。」
　
ウ．段落００１６
「画素１５は、信号線４と基準電位ＶＳＳのラインとの間に直列接続されたＮ型ＴＦＴ…（略）…１６およびキャパシタ１７と、キャパシタ１７に並列接続された液晶セル１８とを含む。Ｎ型ＴＦＴ１６のゲートは、走査線３に接続されている。」
　
エ．段落００２０
「列ドライバ回路９は、データレジスタ＋ラッチ回路１０、レベルシフト回路１１および３つのＤ／Ａコンバータ１２を含む。データレジスタ＋ラッチ回路１０は、制御回路１から与えられる画像データ信号を順次取込み、１走査線３分の画像データ信号を取込んだことに応じて、それらの画像データ信号をレベルシフト回路１１に与える。レベルシフト回路１１は、データレジスタ＋ラッチ回路１０からの各画像データ信号の信号レベルを所定のレベルに変換して対応のＤ／Ａコンバータ１２に与える。Ｄ／Ａコンバータ１２は、レベルシフト回路１１からのデータ信号を画像電位に変換して対応の切換スイッチ５の共通端子に与える。」
　
オ．段落００２１
「次に、この液晶表示装置の動作について説明する。切換スイッチ５は、１つの画像が表示されるごとに交互に切換えられる。すなわち、ある画像を表示する場合は、信号φＳ１が「Ｈ」レベルにされ、Ｄ／Ａコンバータ１２の出力ノードは切換スイッチ５を介して奇数番の信号線４に接続される。この状態で、行ドライバ回路６によって６本の走査線３が所定周期で一定時間ずつ順次「Ｈ」レベルにされる。…（略）…このようにして、奇数番の列の各画素１５に画像電位が与えられ、液晶パネル２には１つの画像が表示される。」
　
カ．段落００２２
「次の画像を表示する場合は、信号φＳ１が「Ｌ」レベルにされ、Ｄ／Ａコンバータ１２の出力ノードが切換スイッチ５を介して偶数番の信号線４に接続される。…（略）…このようにして、偶数番の列の各画素１５に画像電位が与えられ、液晶パネル２には次の画像が表示される。」
　
キ．段落００２３
「この実施の形態１では、複数の信号線４を１／２に間引いて駆動するので、列ドライバ回路９の回路規模を従来の１／２にすることができ、液晶表示装置の消費電力を大幅に小さくすることができる。すなわち、列ドライバ回路９は、画素１５の輝度の階調を連続的に変えるためにアナログ回路で構成される。一般にアナログ回路はバイアス電流などを必要とするため消費電力が大きく、しかも画素選択期間中、出力電位を一定に維持する必要があるので、列ドライバ回路９の消費電力は行ドライバ回路６の消費電力に比べてかなり大きくなる。したがって、列ドライバ回路９の消費電力が液晶表示装置全体の消費電力に占める割合が高いので、列ドライバ回路９の回路規模を１／２にすることにより、液晶表示装置の消費電力を大幅に小さくすることができる。」
　
　上記ア．からキ．までの記載を総合すると、刊行物２には、以下の技術事項が記載されている。
　
「データ線（信号線４）、走査線（走査線３）、画素回路（画素１５）を含む表示領域と、データドライバー（列ドライバ回路９）と、走査ドライバー（行ドライバ回路６）とを含む液晶表示装置において、データ線を奇数番と偶数番とに分けるとともに、逆多重化部（切換スイッチ５）を設け、奇数番のデータ線に接続された画素回路と偶数番のデータ線に接続された画素回路とで交互に画像を表示することにより、液晶表示装置の消費電力を大幅に小さくする。」
　
５．対比
　本願発明と引用発明とを比較すると、以下のとおりである。
　引用発明の「信号データとしてのアナログ信号電流が流れる信号線１１７」と、本願発明の「画像信号を示すデータ信号を伝達する第１及び第２データ線」とは、画像信号を示すデータ信号を伝達するデータ線である点で共通する。
　引用発明の「選択された行の画素の入力ＴＦＴスイッチ１１１及びリセットＴＦＴスイッチ１１５をそれぞれオンする入力スイッチ線１２３及びリセット線１１８」は、本願発明の「選択信号を伝達する第１走査線」に相当する。
　引用発明の「前記信号線と前記入力スイッチ線及び前記リセット線とに電気的に接続される画素１１０」と、本願発明の「前記第１データ線と前記第１走査線とに電気的に連結される第１画素回路、そして前記第２データ線と前記第１走査線とに電気的に連結される第２画素回路」とは、データ線と走査線とに連結された画素回路であるという点で共通する。
　引用発明の「表示領域」は、本願発明の「表示領域」に相当する。
　引用発明の「前記信号線に前記アナログ信号電流を出力する電流出力ＤＡ変換回路１２１」と、本願発明の「前記第１及び第２データ線に各々該当するデータ信号を信号線を通じて順次に出力するデータドライバー」とは、データ線に各々該当するデータ信号を信号線を通じて順次出力するデータドライバーである点で共通する。
　引用発明の「各画素行を順次選択するゲート駆動回路１２２」は、本願発明の「前記選択信号を出力する走査ドライバー」に相当する。
　引用発明の「アナログ信号電流」は、本願発明の「前記データ信号は電流形態で供給される信号であり」に相当する。
　引用発明の「１フレーム中の書込み期間においては、前記ゲート駆動回路によって順次選択された行の画素に前記信号線からのアナログ信号電流が書き込まれ」と、本願発明の「前記第１及び第２期間では前記第１走査線に選択信号が印加され、…前記第１期間内では前記第２画素回路に印加されるデータ信号は遮断されて前記第２画素回路にブランク信号が入力され、前記第２期間内では前記第１画素回路に印加されるデータ信号は遮断されて前記第１画素回路にブランク信号が入力され、前記第１フィールドのうちの第３期間内に、前記第１走査線の次に選択信号を受信する第２走査線と前記第１データ線とに電気的に連結される第３画素回路に前記第１データ線からのデータ信号が入力され、前記第２フィールドのうちの第４期間内に、前記第２走査線と前記第２データ線とに電気的に連結される第４画素回路に前記第２データ線からのデータ信号が入力され、前記第３期間で前記第３画素回路にデータ信号が入力される間に前記第４画素回路にはブランク信号が入力され、前記第４期間で前記第４画素回路にデータ信号が入力される間に前記第３画素回路にはブランク信号が入力され」とは、１フレームの間に走査ドライバーによって順次選択された行の画素回路にデータ信号が入力される点で共通する。
　引用発明の「前記画素は、前記アナログ信号電流と等しい電流が流れて階調発光を行うＯＬＥＤ素子７を含み」と、本願発明の「前記第１乃至第４画素回路は各々前記入力されたデータ信号のサイズに対応して光を発する発光素子を含み」とは、画素回路が入力されたデータ信号のサイズに対応して光を発する発光素子を含む点で共通する。
　引用発明の「入力ＴＦＴスイッチ」及び「リセットＴＦＴスイッチ」は、それぞれ、本願発明の「第１のトランジスタ」及び「第２のトランジスタ」に相当し、「前記ゲート駆動回路によって選択された行の画素の前記入力ＴＦＴスイッチ及び前記リセットＴＦＴスイッチがオンする」は、本願発明の「同一の前記選択信号によって第１のトランジスタ及び第２のトランジスタがターンオンされる」に相当する。引用発明の「ＯＬＥＤ駆動ＴＦＴスイッチ１１４」、「ダイオード接続」、「保持容量１１３」、「前記信号データに対応するゲート電圧」及び「記憶され」は、それぞれ、本願発明の「駆動トランジスタ」、「ダイオード連結」、「キャパシタ」、「前記データ信号に対応する電圧」及び「保存され」に相当する。したがって、引用発明の「前記ゲート駆動回路によって選択された行の画素の前記入力ＴＦＴスイッチ及び前記リセットＴＦＴスイッチがオンすることにより、ＯＬＥＤ駆動ＴＦＴスイッチ１１４がダイオード接続となり、前記信号線から流れる前記アナログ信号電流が前記ＯＬＥＤ駆動ＴＦＴスイッチに流れ、保持容量１１３に前記信号データに対応するゲート電圧が記憶され」は、全体として、本願発明の「前記各画素回路は、同一の前記選択信号によって第１のトランジスタ及び第２のトランジスタがターンオンされることにより駆動トランジスタをダイオード連結させ、前記データ線に流れる電流が前記駆動トランジスタに流れて、キャパシタに前記データ信号に対応する電圧が保存され」に相当する。
　引用発明の「前記１フレーム中の点灯期間においては、点灯スイッチ線１１９が全画素の点灯ＴＦＴスイッチ１１６を一斉にオンすると、書き込まれた前記アナログ信号電流に応じた階調発光を行い」と、本願発明の「前記第１フィールドの間に前記発光信号が入力されると、前記第１及び第３画素回路の前記発光素子が発光し、前記第２フィールドの間に前記発光信号が入力されると、前記第２及び第４画素回路の前記発光素子が発光して画像が表示され」とは、１フレームの間に発光信号が入力されると、画素回路の発光素子が発光して画像が表示される点で共通する。
　引用発明の「前記点灯スイッチ線が前記点灯ＴＦＴスイッチをオンするタイミングを調整することにより、前記点灯期間が変更可能な」と本願発明の「前記第１乃至第４画素回路に入力する発光信号のタイミングを調整することにより、これらの画素回路の発光素子が発光する期間を減らす」とは、画素回路に入力する発光信号のタイミングを調整することにより、画素回路の発光素子が発光する期間を減らす点で共通する。
　引用発明の「ＯＬＥＤ表示パネル」は、本願発明の「有機電界発光表示装置」に相当する。
　
　そうすると、本願発明と引用発明とは、
　
「画像信号を示すデータ信号を伝達するデータ線、選択信号を伝達する第１走査線、前記データ線と前記第１走査線とに連結された画素回路を含む表示領域と、
　前記データ線に各々該当するデータ信号を信号線を通じて順次出力するデータドライバーと、
　前記選択信号を出力する走査ドライバーとを含み、
　前記データ信号は電流形態で供給される信号であり、
　１フレームの間に前記走査ドライバーによって順次選択された行の画素にデータ信号が入力され、
　前記画素回路は入力されたデータ信号のサイズに対応して光を発する発光素子を含み、
　前記各画素回路は、同一の前記選択信号によって第１のトランジスタ及び第２のトランジスタがターンオンされることにより駆動トランジスタをダイオード連結させ、前記データ線に流れる電流が前記駆動トランジスタに流れて、キャパシタに前記データ信号に対応する電圧が保存され、
　前記１フレームの間に発光信号が入力されると、前記画素回路の前記発光素子が発光して画像が表示され、
　前記画素回路に入力する前記発光信号のタイミングを調整することにより、
　前記画素回路の前記発光素子が発光する期間を減らす有機電界発光表示装置。」
　
である点で一致し、以下の点で相違する。
　
（相違点）
　本願発明は、データ線が「第１データ線」と「第２データ線」とに分けられるとともに、「信号線からのデータ信号を第１及び第２データ線に各々伝達する逆多重化部」を備えており、さらに、１フレームが「第１フィールド」及び「第２フィールド」に分割され、「第１フィールド」では、「第１データ線」に連結される「第１画素回路」及び「第３画素回路」にデータ信号が入力される一方、「第２データ線」に連結される「第２画素回路」及び「第４画素回路」に「ブランク信号」が入力され、「第２フィールド」では、「第２データ線」に連結される「第２画素回路」及び「第４画素回路」にデータ信号が入力される一方、「第１データ線」に連結される「第１画素回路」及び「第３画素回路」に「ブランク信号」が入力されるのに対し、引用発明は、そのようになっていない点。
　
６．判断
　相違点についての判断は、以下のとおりである。
　引用発明と刊行物２に記載された技術事項とは、アクティブマトリクス制御を行う表示装置に関するものであるという点で共通している。そして、引用発明のような有機電界発光表示装置でも消費電力は小さい方が好ましいことは、当業者にとって自明である。
　そうすると、引用発明において消費電力の低減を図るため、データ線を奇数番と偶数番とに分けるとともに、逆多重化部を設け、奇数番のデータ線（すなわち、第１データ線）に接続された画素回路（すなわち、第１及び第３画素回路）と偶数番のデータ線（すなわち、第２データ線）に接続された画素回路（すなわち、第２及び第４画素回路）とで交互に画像を表示するようにすることは、刊行物２に記載された技術事項に基づき、当業者が容易に思い付くことである。
　１フレームが第１及び第２フィールドに分割されることや、奇数番（偶数番）のデータ線に接続された画素回路にデータ信号を入力するときに偶数番（奇数番）のデータ線に接続された画素回路にブランク信号が入力されることは、刊行物２に記載された技術事項を引用発明に適用したことによってもたらされる単なる結果にすぎない。
　
７．請求人の主張について
　請求人は、平成２４年７月１７日付け意見書の「２．３　本願発明と引用文献との対比」において、以下のように主張している。
　
「本願発明の画素回路は、電流記入型画素であって、引用文献１、２にはこのような内容は開示されていません。同一のスキャン信号によってトランジスタＭ１及びＭ２がターンオンされることにより駆動トランジスタＭ３をダイオード連結させ、このとき、データ線に流れる電流が駆動トランジスタＭ３に流れて、キャパシタ（Ｃｓｔ）にデータ信号に対応する電圧が保存されます。この構成は何れの引用文献においても開示されておらず、本願発明が容易に想到できたとはいえないと思料します。」
　
　しかし、刊行物１（引用文献１）の段落００４０の記載（上記４．（１）エ．参照）から、引用発明の画素回路も電流記入型であることが明らかである。そして、引用発明においても、同一のスキャン信号によってトランジスタＭ１及びＭ２（入力ＴＦＴスイッチ１１１及びリセットＴＦＴスイッチ１１５）がターンオンされることにより駆動トランジスタＭ３（ＯＬＥＤ駆動ＴＦＴ１１４）をダイオード連結させ、このとき、データ線（信号線１１７）に流れる電流が駆動トランジスタＭ３に流れて、キャパシタ（Ｃｓｔ）（保持容量１１３）にデータ信号に対応する電圧が保存されている。
　請求人の主張は、採用することができない。
　
８．　むすび
　以上のとおりであるから、本願発明は、刊行物１に記載された発明（引用発明）及び刊行物２に記載された技術事項に基づき、当業者が容易に発明をすることができたものであり、特許法第２９条第２項の規定により特許を受けることができない。
　したがって、他の請求項に係る発明について審理するまでもなく、本願は拒絶をすべきものである。
　よって、結論のとおり審決する。